(57)【要約】【課題】本発明は、誤送信を適切に防止するデータ通信装置に関する。【解決手段】ＩＰＦＡＸ装置１０ａ〜１０ｃは、指定された送信相手先のＩＰＦＡＸ装置１０ａ〜１０ｃにデータ送信を行う場合、送信先のＩＰＦＡＸ装置１０ａ〜１０ｃから識別情報を取得して、当該取得した識別情報を操作表示部のディスプレイに表示出力し、または／及びスピーカから拡声出力する確認出力を行い、当該確認出力に応じて操作表示部のキー操作等で送信指示が行われると、当該送信先のＩＰＦＡＸ装置１０ａ〜１０ｃにデータの送信を行い、当該確認出力に応じて送信中止が指示されると、当該送信先のＩＰＦＡＸ装置１０ａ〜１０ｃへのデータの送信を中止する。したがって、データ通信において適切に相手先を確認することができ、誤送信を適切に防止することができる。【選択図】          図１
2007116264.tif 000002
【特許請求の範囲】
【請求項１】
所定の通信回線を介して相手先端末との間で所定のプロトコルを実行して当該相手先端末にデータの送信を行うデータ通信装置において、指定された相手先端末にデータ送信を行う場合、所定のプロトコルで当該相手先端末から当該相手先端末の識別情報を取得し、当該取得した識別情報を所定の出力手段から確認出力し、当該確認出力に応じて送信指示が行われると、当該相手先端末に前記データの送信を行い、当該確認出力に応じて送信中止が指示されると、当該相手先端末への前記データの送信を中止する誤送信防止処理を実行することを特徴とするデータ通信装置。
【請求項２】
前記データ通信装置は、前記通信回線に接続され予め前記識別情報が登録されていて当該登録されている識別情報を通知した通信要求を行ってきた端末に対してのみデータ通信を許可するサーバを介して前記データ通信を行うことを特徴とする請求項１記載のデータ通信装置。
【請求項３】
前記データ通信装置は、前記誤送信防止処理機能のオン／オフを選択する選択手段を備え、前記データ送信において、当該選択手段で当該誤送信防止処理機能のオンが選択されているときにのみ、当該誤送信防止処理を実行することを特徴とする請求項１または請求項２記載のデータ通信装置。
【請求項４】
前記データ通信装置は、前記誤送信防止処理における送信指示または送信中止指示の指示結果を当該相手先端末毎に送信履歴情報として登録し、前記データ送信において、当該相手先端末が過去に送信指示の行われた端末として前記送信履歴情報に登録されていると、当該相手先端末の識別情報の前記確認出力を省略して、当該相手先端末へのデータ送信を行うことを特徴とする請求項１から請求項３のいずれかに記載のデータ通信端末。
【請求項５】
前記データ通信装置は、前記送信履歴情報として前記相手先端末毎に当該相手先端末から取得した前記識別情報をも登録し、前記データ送信において、当該相手先端末が過去に送信指示の行われた端末として前記送信履歴情報に登録されている場合であっても、当該送信に際して当該相手先端末から取得した当該相手先端末の識別情報と当該送信履歴情報に登録されている当該相手先端末の識別情報とが異なると、当該送信に際して当該相手先端末から取得した当該相手先端末の識別情報の前記確認出力を行って、当該確認出力に応じて送信指示が行われると、当該相手先端末に前記データの送信を行い、当該確認出力に応じて送信中止が指示されると、当該相手先端末への前記データの送信を中止することを特徴とする請求項４記載のデータ通信装置。
【請求項６】
前記データ通信装置は、前記データ送信において、当該送信相手先端末が過去に送信中止指示の行われた端末として前記送信履歴情報に登録されていると、当該相手先端末の識別情報の前記確認出力を行い、当該確認出力に応じて送信指示が行われると、当該相手先端末に前記データの送信を行い、当該確認出力に応じて送信中止が指示されると、当該相手先端末への前記データの送信を中止することを特徴とする請求項４または請求項５記載のデータ通信装置。
【発明の詳細な説明】
【技術分野】
【０００１】
本発明は、データ通信装置に関し、詳細には、誤送信を適切に防止するデータ通信装置に関する。
【背景技術】
【０００２】
近年、通信網の整備によりインターネットが普及しており、ファクシミリ装置においてもインターネットを使用してファクシミリ通信を行うインターネットファクシミリ装置が提案されている（特許文献１等参照）。
【０００３】
そして、インターネットファクシミリ通信においては、国際電気通信連合（ＩＴＵ：International Telecommunication Union ）の勧告Ｔ．３８（ITU-T Recommendation）が提案されており、勧告Ｔ．３８の通信プロトコルは、Ｔ．３０プロトコルのＩＰネットワークへの単純なマッピングであって、一つのパケットでＣＳＩの一部を送信したり、逆に、ＣＳＩ＋ＤＩＳの情報を一つのパケットで送信してもよいことになっている。この勧告Ｔ．３８は、Ｈ．３２３端末（パケット網上でのマルチメディア通信システム）との整合を取る改訂が行われている。
【０００４】
勧告Ｔ．３８は、ＩＦＰ（Internet Fax Protocol）パケットをやりとりすることで、ファクシミリ文書の送受信を行い、そのプロトコルは、トランスポートにＴＣＰまたはＵＤＰを使用して、それぞれパケットのフォーマットが異なっている。
【０００５】
そして、インターネットファクシミリ通信においては、宛先指定は、使用環境に依存し、アドレス変換を行うゲートキーパー（Gatekeeper）またはＳＩＰ（Session Initiation Protocol）サーバが同一ネット上にあると、ゲートキーパーまたはＳＩＰサーバは、電話番号とＩＰアドレス（Internet Protocol アドレス）を関連付けて、通信を可能とする。例えば、ＳＩＰサーバは、電話番号からインターネット上の端末にアクセスするためのＩＰアドレスに変換するといった電話番号からＩＰアドレスへの変換を行う。
【０００６】
すなわち、公衆回線だけでなく、ネットワークにも対応したインターネットファクシミリ装置においては、公衆回線とインターネットのどちらの通信網を使用しても通信を行うことができる。
【０００７】
このようなインターネットファクシミリ通信においては、各インターネットファクシミリ装置（以下、必要に応じて、ＩＰＦＡＸ装置（端末）という。）が予めＳＩＰサーバに自己のファクシミリ番号とＩＰアドレスを登録することで、自端末への着呼ルートを確保することができ、他のＩＰＦＡＸ端末がＳＩＰサーバに送信先のファクシミリ番号を通知することで、ＳＩＰサーバがファクシミリ番号をＩＰアドレスに変換してドメイン内の他のＩＰＦＡＸ端末に接続して、通信を可能とする。
【０００８】
【特許文献１】特開２００５−２０２７２４号公報
【発明の開示】
【発明が解決しようとする課題】
【０００９】
しかしながら、上記従来技術にあっては、誤送信を適切に防止する上で、改良の必要があった。
【００１０】
すなわち、上記従来技術にあっては、予め各ＩＰＦＡＸ端末がＳＩＰサーバに自己の宛先番号（ファクシミリ番号）とＩＰアドレスを登録することで自己への着呼ルートを確保し、各ＩＰＦＡＸ端末が送信時に送信先の宛先番号をＳＩＰサーバに通知することで、ＳＩＰサーバが宛先番号とＩＰアドレスの変換を行って接続を行っているため、送信元のオペレータによる送信先の宛先番号の誤入力による誤送信だけでなく、着呼端末側の管理方法、運営方法によって、宛先番号に該当するＩＰアドレスが送信者側のオペレータの知らないうちに変更され、送信側のオペレータが指定した宛先番号に該当するＩＰＦＡＸ端末が、送信側のオペレータの意図しているＩＰＦＡＸ端末ではなくなっていて、結果として、誤送信となるという問題があった。
【００１１】
また、従来技術にあっては、セキュリティ上の問題もある。すなわち、ＩＰＦＡＸ端末（クライアント）による番号登録の上書きを許可するＳＩＰサーバも存在し、このようなＳＩＰサーバを使用する場合、悪意あるＩＰＦＡＸ端末によって他のＩＰＦＡＸ端末が登録されていて使用されているＦＡＸ番号を横取りする、いわゆるなりすましが発生するおそれがあり、このようなセキュリティの問題に対して適切に対応する必要がある。
【００１２】
そこで、本発明は、データ通信において適切に相手先を確認して、誤送信を適切に防止するデータ通信装置を提供することを目的としている。
【課題を解決するための手段】
【００１３】
請求項１記載の発明のデータ通信装置は、所定の通信回線を介して相手先端末との間で所定のプロトコルを実行して当該相手先端末にデータの送信を行うデータ通信装置において、指定された相手先端末にデータ送信を行う場合、所定のプロトコルで当該相手先端末から当該相手先端末の識別情報を取得し、当該取得した識別情報を所定の出力手段から確認出力し、当該確認出力に応じて送信指示が行われると、当該相手先端末に前記データの送信を行い、当該確認出力に応じて送信中止が指示されると、当該相手先端末への前記データの送信を中止する誤送信防止処理を実行することにより、上記目的を達成している。
【００１４】
この場合、例えば、請求項２に記載するように、前記データ通信装置は、前記通信回線に接続され予め前記識別情報が登録されていて当該登録されている識別情報を通知した通信要求を行ってきた端末に対してのみデータ通信を許可するサーバを介して前記データ通信を行ってもよい。
【００１５】
また、例えば、請求項３に記載するように、前記データ通信装置は、前記誤送信防止処理機能のオン／オフを選択する選択手段を備え、前記データ送信において、当該選択手段で当該誤送信防止処理機能のオンが選択されているときにのみ、当該誤送信防止処理を実行するものであってもよい。
【００１６】
さらに、例えば、請求項４に記載するように、前記データ通信装置は、前記誤送信防止処理における送信指示または送信中止指示の指示結果を当該相手先端末毎に送信履歴情報として登録し、前記データ送信において、当該相手先端末が過去に送信指示の行われた端末として前記送信履歴情報に登録されていると、当該相手先端末の識別情報の前記確認出力を省略して、当該相手先端末へのデータ送信を行うものであってもよい。
【００１７】
また、例えば、請求項５に記載するように、前記データ通信装置は、前記送信履歴情報として前記相手先端末毎に当該相手先端末から取得した前記識別情報をも登録し、前記データ送信において、当該相手先端末が過去に送信指示の行われた端末として前記送信履歴情報に登録されている場合であっても、当該送信に際して当該相手先端末から取得した当該相手先端末の識別情報と当該送信履歴情報に登録されている当該相手先端末の識別情報とが異なると、当該送信に際して当該相手先端末から取得した当該相手先端末の識別情報の前記確認出力を行って、当該確認出力に応じて送信指示が行われると、当該相手先端末に前記データの送信を行い、当該確認出力に応じて送信中止が指示されると、当該相手先端末への前記データの送信を中止するものであってもよい。
【００１８】
さらに、例えば、請求項６に記載するように、前記データ通信装置は、前記データ送信において、当該送信相手先端末が過去に送信中止指示の行われた端末として前記送信履歴情報に登録されていると、当該相手先端末の識別情報の前記確認出力を行い、当該確認出力に応じて送信指示が行われると、当該相手先端末に前記データの送信を行い、当該確認出力に応じて送信中止が指示されると、当該相手先端末への前記データの送信を中止するものであってもよい。
【発明の効果】
【００１９】
本発明のデータ通信装置によれば、指定された相手先端末にデータ送信を行う場合、当該相手先端末から識別情報を取得して、当該取得した識別情報を確認出力し、当該確認出力に応じて行われる送信指示または送信中止指示に従ってデータの送信／送信中止する誤送信防止処理を実行するので、データ通信において適切に相手先を確認することができ、宛先番号の誤入力による誤送信だけでなく、着呼端末側の管理方法、運営方法によって、宛先番号に該当するＩＰアドレスが送信者側のオペレータの知らないうちに変更され、送信側のオペレータが指定した宛先番号に該当するＩＰＦＡＸ端末が、送信側のオペレータの意図しているＩＰＦＡＸ端末ではなくなっている場合にも、誤送信を適切に防止することができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図５は、本発明のデータ通信装置の第１実施例を示す図であり、図１は、本発明のデータ通信装置の第１実施例を適用したデータ通信システム１のシステム構成図である。
【００２２】
図１において、データ通信システム１は、インターネット網２に、ＳＩＰプロキシサーバ３、ロケーションサーバ４及び複数（図１では、３台）のデータ通信装置であるインターネットファクシミリ装置（以下、ＩＰＦＡＸ装置という。）１０ａ〜１０ｃが接続されている。なお、図１では、図を簡単にするために、ＩＰＦＡＸ装置１０ａ〜１０ｃは、３台接続されている状態を示しているが、接続されている台数は、何台であってもよい。いま、図１では、Ａ社のＩＰＦＡＸ装置１０ａ、Ｂ社のＩＰＦＡＸ装置１０ｂ及びＣ社のＩＰＦＡＸ装置１０ｃが接続されている状態を示しており、以下の説明では、上記３台のＩＰＦＡＸ装置１０ａ〜１０ｃの他に、他のＩＰＦＡＸ装置が接続されているものとしている。
【００２３】
ＳＩＰプロキシサーバ（サーバ）３は、ＳＩＰプロトコルに準拠して、インターネット２に接続され自己の管理するドメイン内の各ＳＩＰ端末である各ＩＰＦＡＸ装置１０ａ〜１０ｃの番号宛先情報（ＳＩＰ−ＵＲＩ）に基づいて、当該ドメイン内の各ＩＰＦＡＸ装置１０ａ〜１０ｃ間でのＳＩＰメソッドをプロキシする。具体的には、ＳＩＰプロキシサーバ３は、各ＩＰＦＡＸ装置１０ａ〜１０ｃから送られてくる番号宛先情報である番号情報を、ＩＰアドレスに変換するとともに、各種各種ＳＩＰメソッドをプロキシする。この番号情報は、例えば、図１では、ＩＰＦＡＸ装置１０ａが、「０３３２１０１２３」であり、ＩＰＦＡＸ装置１０ｂが、「０３３２１１２３４」であり、ＩＰＦＡＸ装置１０ｃが、「０３３２１２３４５」であり、図示しない他のＩＰＦＡＸ装置が、「０７６３２１３４５６」である。また、ＳＩＰプロキシサーバ３は、各ＩＰＦＡＸ装置１０ａ〜１０ｃから通知された各ＩＰＦＡＸ装置１０ａ〜１０ｃの番号情報と識別情報を対応させた識別情報データベースを備えており、この識別情報データベースを利用して、後述する認証処理を実行する。この識別情報としては、例えば、図１の場合、Ａ社のＩＰＦＡＸ装置１０ａが、「Ａｃｏｍｐａｎｙ＿ＦＡＸ０」であり、Ｂ社のＩＰＦＡＸ装置１０ｂが、「Ｂｃｏｍｐａｎｙ＿ＦＡＸ１」であり、Ｃ社のＩＰＦＡＸ装置１０Ｃｃが、「Ｃｃｏｍｐａｎｙ＿ＦＡＸ２」であり、図示しない他のＩＰＦＡＸ装置が、「Ｔｏｋｋｙｏ＿ＦＡＸ」である。
【００２４】
ロケーションサーバ４は、ドメイン内の各ＩＰＦＡＸ装置１０ａ〜１０ｃについて、その番号情報（ＳＩＰ−ＵＲＩ）とＩＰアドレスが一対一の関係となっているデータベースを記憶しており、ＳＩＰプロキシサーバ３によって参照される。
【００２５】
すなわち、ＳＩＰプロキシサーバ３は、各ＩＰＦＡＸ装置１０ａ〜１０ｃから送られてきた番号情報に基づいてロケーションサーバ４のデータベースを参照して、番号情報をＩＰアドレスに変換する。
【００２６】
各ＳＩＰ端末であるＩＰＦＡＸ装置１０ａ〜１０ｃは、図２に示すようにブロック構成されており、スキャナ１１、プロッタ１２、不揮発性メモリ１３、ＤＣＲ（符号化・復号化部）１４、ＣＣＵ（コミュニケーションコントロールユニット）１５、制御部１６、操作表示部１７、ページメモリ１８及びＬＡＮ制御部１９等を備えており、主要各部は、バス２０で接続されている。このＩＰＦＡＸ装置１０ａ〜１０ｃは、ＳＩＰプレゼンス機能とＩＰＦＡＸ機能を有し、各ＩＰＦＡＸ装置１０ａ〜１０ｃの管理者が設定した「識別情報(文字列)」を不揮発性メモリ１３に記憶している。なお、図２では、ＩＰＦＡＸ装置１０ａ〜１０ｃの各部１１〜２０には、添え字を付していないが、以下の説明では、ＩＰＦＡＸ装置１０ａ〜１０ｃの各部１１〜２０を区別するために、必要に応じて、それぞれの各部１１〜２０に添え字ａ〜ｃを付して、スキャナ１１ａ〜１１ｃ〜バス２０ａ〜２０ｃのように記載する。
【００２７】
スキャナ１１は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ１１の原稿読取位置に送給する。スキャナ１１は、ＡＤＦから搬送されてきた原稿を走査し、原稿の画像を所定の解像度で画素に分割して、各画素を白黒の画像信号に変換する。
【００２８】
プロッタ１２は、例えば、電子写真式記録装置等が使用されており、受信した画像データやスキャナ１１で読み取った原稿の画像を記録紙に記録出力する。
【００２９】
不揮発性メモリ１３は、ハードディスク等で構成されており、ＩＰＦＡＸ装置１０ａ〜１０ｃの制御に必要な各種情報、例えば、自己局の番号情報、電話番号、名称等の自局情報、送信時にセットされた読取濃度情報や記録濃度情報等及びその他のＩＰＦＡＸ装置１０ａ〜１０ｃの各種機能を適切に発揮させるために設定された各種設定情報等を記憶する。特に、不揮発性メモリ１３は、上記自局の番号情報と識別情報を予め記憶しているとともに、後述するように、過去の送信相手先の番号情報（宛先番号）、識別情報及び送信／送信中止の指示の結果（図１では、オペレータの判断と記載。）を対応させた履歴情報を送信履歴テーブルとして記憶する。また、不揮発性メモリ１３は、スキャナ１１で読み取った送信原稿の画像ファイルや受信した画像ファイル等を格納する。この送信履歴テーブルは、例えば、図１のＩＰＦＡＸ装置１０ａの部分に記載しているように、過去に送信した相手先の相手先番号（番号情報）、識別情報及びオペレータの判断（送信、送信中止）を対応付けたものである。
【００３０】
ＤＣＲ１４は、画像データの不揮発性メモリ１３への蓄積の効率化や伝送時間の短縮化を図るためのものであり、所定の符号化方式に従って画像データを符号化し、また、符号化された画データを復号化する。
【００３１】
ＣＣＵ１５には、回線、例えば、公衆電話回線または専用回線が接続され、ＣＣＵ１５は、回線からの発呼に対して自動着呼し、また、回線への自動発呼処理を行うＮＣＵ（Network Control Unit）及び送信信号の変調及び受信信号の復調を行モデムに接続されており、相手ファクシミリ装置との間でファクシミリ制御信号を交換して、ファクシミリ通信手順を実行する。
【００３２】
ページメモリ１８は、プロッタ１２で記録出力される画像データが一旦展開されるものであり、ＣＣＵ１５で受信した画像データやコピーモードでスキャナ１１で読み取られた画像データが制御部１６の制御下で展開されて、展開された画像データをプロッタ１２に転送する。
【００３３】
ＬＡＮ制御部１９は、ＬＡＮ（Local Area Network）を介してあるいは直接インターネット２に接続されており、インターネット２を介してのメール送受信やインターネットファクシミリ通信を実行する。
【００３４】
操作表示部１７は、テンキーやスタートキー及びファンクションキー等の各種操作キーを備えるとともに、出力手段としてのディスプレイ（例えば、液晶ディスプレイ）やスピーカ等を備えており、操作キーからは、送信操作等の各種命令が入力され、ディスプレイには、操作キーから入力された命令内容やＩＰＦＡＸ装置１０ａ〜１０ｃからオペレータに通知する各種情報が表示され、また、必要な情報がスピーカから拡声出力される。特に、操作表示部１７は、後述する誤送信防止処理を伴うＩＰＦＡＸ送信処理での送信相手先の識別情報を、ディスプレイに表示したり、スピーカから拡声出力して、オペレータに通知する。また、操作表示部１７は、後述する誤送信防止処理機能のオン／オフを設定する誤送信防止機能オン／オフスイッチ（選択手段）が設けられている。
【００３５】
制御部１６は、ＣＰＵ（Central Processing Unit ）、ＲＯＭ（Read Only Memory）及びＲＡＭ（Random Access Memory）等を備え、ＲＯＭ内には、ＩＰＦＡＸ装置１０ａ〜１０ｃの基本処理プログラム及び後述する誤送信防止処理を伴うＩＰＦＡＸ送信処理プログラム等の各種プログラムを格納しているとともに、これらの誤送信防止処理を伴うＩＰＦＡＸ送信処理プログラム及び基本処理プログラム等の各種プログラムを実行するために必要な各種データやシステムデータ等が格納されている。システム制御部１６は、ＲＯＭ内のプログラムに基づいて、ＲＡＭをワークメモリとして利用して、ＩＰＦＡＸ装置１０ａ〜１０ｃの各部を制御し、ＩＰＦＡＸ装置１０ａ〜１０ｃとしての基本処理を実行するとともに、後述する誤送信防止処理を伴うＩＰＦＡＸ送信処理を実行する。制御部１６は、操作表示部１７の通知機能オン／オフスイッチで識別情報通知処理がオンに設定されているときにのみ、誤送信防止処理を伴うＩＰＦＡＸ送信処理においてオペレータへの送信相手先の識別情報の通知を行う。
【００３６】
次に、本実施例の作用を説明する。本実施例のＩＰＦＡＸ装置１０ａ〜１０ｃは、インターネットファクシミリ（ＩＰＦＡＸ）送信時に、相手先の識別情報を送信側のオペレータに通知して、誤送信を適切に防止する。なお、以下の説明では、図１のＩＰＦＡＸ装置１０ａからＳＩＰプロキシサーバ３を介してＩＰＦＡＸ装置１０ｂにＩＰＦＡＸ送信するものとして説明する。
【００３７】
いま、ＩＰＦＡＸ装置１０ａからＩＰＦＡＸ装置１０ｂにＳＩＰプロキシサーバ３を介してインターネットファクシミリ送信を行う場合、図３のＩＰＦＡＸ通信における通信シーケンス図に示すように、ＩＰＦＡＸ装置１０ａからＳＩＰプロキシサーバ３に、識別情報の付加されていない「ＳＵＢＳＣＲＩＢＥ（購読要求）」を送ると、ＳＩＰプロキシサーバ３は、認証を行うために、「認証要求（４０７）」をＩＰＦＡＸ装置１０ａに返し、ＩＰＦＡＸ装置１０ａがこの認証要求に応じて識別情報（いま、ＩＰＦＡＸ装置１０ａの認証情報は、「Ａｃｏｍｐａｎｙ＿ＦＡＸ０」）を付加した「ＳＵＢＳＣＲＩＢＥ」を送ると、ＳＩＰプロキシサーバ３が、当該識別情報が予め識別情報データベースに登録されている当該ＩＰＦＡＸ装置１０ａの識別情報であるかを判別する認証処理を行って、認証の結果が適切（ＯＫ）であると、識別情報の付加されていない「ＳＵＢＳＣＲＩＢＥ」をＩＰＦＡＸ装置１０ｂに送る。
【００３８】
送信相手先のＩＰＦＡＸ装置１０ｂは、「ＳＵＢＳＣＲＩＢＥ」が送られてきて受信準備が整っていると、「ＯＫ（２００）」と識別情報（「Ｂｃｏｍｐａｎｙ＿ＦＡＸ１」）の付加された「ＮＯＴＩＦＹ」をＳＩＰプロキシサーバ３に送り、ＳＩＰプロキシサーバ３が識別情報を認証すると、この「ＯＫ（２００）」と識別情報の付加された「ＮＯＴＩＦＹ」をＩＰＦＡＸ装置１０ａに送る。
【００３９】
ＩＰＦＡＸ装置１０ａは、「ＯＫ（２００）」と識別情報の付加された「ＮＯＴＩＦＹ」が送られてくると、識別情報を取得して、「ＯＫ（２００）」をＳＩＰプロキシサーバ３に送り、ＳＩＰプロキシサーバ３が「ＯＫ（２００）」をＩＰＦＡＸ装置１０ｂに送る。
【００４０】
その後、ＩＰＦＡＸ装置１０ａは、「ＩＮＶＩＴＥ」をＰＣプロキシサーバ３を介してＩＰＦＡＸ装置１０ｂに送り、ＩＰＦＡＸ装置１０ｂから「ＯＫ（２００）」が送られてくると、正常受信を示す「ＡＣＫ」をＩＰＦＡＸ装置１０ｂに送った後、ＦＡＸデータを送信して、「ＢＹＥ」を送る。
【００４１】
ＩＰＦＡＸ装置１０ｂは、ＦＡＸデータを受信した後、「ＢＹＥ」が送られてくると、「２００（ＯＫ）」を送出して受信処理を終了する。
【００４２】
ＩＰＦＡＸ装置１０ａは、「ＢＹＥ」を送出した後、「２００（ＯＫ）」を受信すると、ファクシミリ送信が正常に終了したとして、ＩＰＦＡＸ送信処理を終了する。
【００４３】
そして、ＩＰＦＡＸ装置１０ａは、上記ＩＰＦＡＸ送信処理において、図４に示すように誤送信防止処理を伴うＩＰＦＡＸ送信処理を行う。
【００４４】
すなわち、Ａ社のＩＰＦＡＸ装置１０ａのオペレータが、送信相手先であるＢ社のＩＰＦＡＸ装置１０ｂの番号情報である宛先番号（「０３３２１１２３４」）を入力して、ＩＰＦＡＸ送信の発呼要求操作を行うと、ＩＰＦＡＸ装置１０ａは、図４に示すように、入力された宛先番号を取得して当該宛先番号へのＩＰＦＡＸ送信要求を受け付け（ステップＳ１０１）、ＩＰＦＡＸ装置１０ａの識別情報（「Ａｃｏｍｐａｎｙ＿ＦＡＸ０」）のＳＩＰプロキシサーバ３による認証確認を受けるとともに、相手先の識別情報（「Ｂｃｏｍｐａｎｙ＿ＦＡＸ１」）を取得する識別情報認識・取得処理を行う（ステップＳ１０２）。この識別情報認識・取得処理については、後述する。
【００４５】
ＩＰＦＡＸ装置１０ａは、送信相手先の識別情報を取得すると、当該取得した送信相手先の識別情報を操作表示部１７ａのディスプレイへの表示出力または／及びスピーカからの音声出力等の確認出力を行い（ステップＳ１０３）、オペレータに対して当該送信相手先へ「送信する」と「送信中止」（中止する）のいずれを行うのかの問い合わせを行う（ステップＳ１０４）。
【００４６】
この識別情報の確認出力と送信の問い合わせに応じて、オペレータが操作表示部１７ａの操作等で送信有無の選択を行うと、ＩＰＦＡＸ装置１０ａは、当該オペレータによる選択結果（「送信する」／「送信中止」（中止する））を取得し（ステップＳ１０５）、当該取得した選択結果を、ステップＳ１０１で取得した送信相手先の宛先番号とステップＳ１０２で取得した当該相手先の識別情報と対応付けて不揮発性メモリ１３ａの送信履歴テーブルに登録する（ステップＳ１０６）。
【００４７】
ＩＰＦＡＸ装置１０ａは、オペレータが「送信する」と「送信中止」（中止する）のいずれを選択したかを判別し（ステップＳ１０７）、「送信する」が選択されていると、ステップＳ１０１で取得した宛先番号宛に通常のＩＰＦＡＸ送信を行って、誤送信防止処理を伴うＩＰＦＡＸ送信処理を終了する（ステップＳ１０８）。
【００４８】
ＩＰＦＡＸ装置１０ａは、ステップＳ１０７で、「送信中止」が選択されていると、当該宛先へのＩＰＦＡＸ送信を行うことなく、誤送信防止処理を伴うＩＰＦＡＸ送信処理を終了する。そして、ＩＰＦＡＸ装置１０ａは、上記誤送信防止処理を、操作表示部１７ａの誤送信防止機能オン／オフスイッチでオンが選択されているときにのみ、実行する。
【００４９】
そして、ＩＰＦＡＸ装置１０ａは、上記ステップＳ１０２の識別情報認識・取得処理を、図５に示すように処理する。すなわち、ＩＰＦＡＸ装置１０ａは、宛先番号を取得して当該宛先番号へのＩＰＦＡＸ送信要求を受け付けると、ＳＩＰプロキシサーバ３にＳＩＰ信号である「ＳＵＢＳＣＲＩＢＥ」を送り（ステップＳ２０１）、「ＯＫ（２００）」がＳＩＰプロキシサーバ３から送られてくるかチェックする（ステップＳ２０２）。
【００５０】
このとき、ＳＩＰプロキシサーバ３は、認証確認を行うために、「認証要求（４０７）」をＩＰＦＡＸ装置１０ａに返す。
【００５１】
そこで、ＩＰＦＡＸ装置１０ａは、「ＯＫ（２００）」を受信したかチェックし（ステップＳ２０２）、「ＯＫ（２００）」を受信しないときには、「認証要求（４０７）」を受信したかチェックする（ステップＳ２０３）。ＩＰＦＡＸ装置１０ａは、「ＯＫ（２００）」と「認証要求（４０７）」をのいずれも受信しないときには、エラーが発生したとして、識別情報認識・取得処理を終了して、誤送信防止処理を伴うＩＰＦＡＸ送信処理を終了する（ステップＳ２０５）。
【００５２】
ステップＳ２０３で、「認証要求（４０７）」を受信すると、ＩＰＦＡＸ装置１０ａは、自己の識別情報（「Ａｃｏｍｐａｎｙ＿ＦＡＸ０」）を付加した「ＳＵＢＳＣＲＩＢＥ」をＳＩＰプロキシサーバ３に送信して、ステップＳ２０２に戻って、ＳＩＰプロキシサーバ３が当該識別情報を識別情報データベースに基づいて認識して「ＯＫ（２００）」を送信してくるかをチェックし（ステップＳ２０２）、「ＯＫ（２００）」を受信すると、送信相手先のＩＰＦＡＸ装置１０ｂから当該相手先の識別情報（「Ｂｃｏｍｐａｎｙ＿ＦＡＸ１」）の付加された「ＮＯＴＩＦＹ」をＳＩＰプロキシサーバ３を介して受信するのを待ち（ステップＳ２０６）、識別情報の付加された「ＮＯＴＩＦＹ」を受信すると、「ＮＯＴＩＦＹ」に含まれている識別情報（「Ｂｃｏｍｐａｎｙ＿ＦＡＸ１」）を取得し（ステップＳ２０７）、ＳＩＰプロキシサーバ３に「ＯＫ（２００）」を送信して、識別情報認識・取得処理を終了する（ステップＳ２０８）。
【００５３】
なお、上記説明においては、ＩＰＦＡＸ装置１０ａからＩＰＦＡＸ装置１０ｂにＩＰＦＡＸ送信する場合について説明したが、他のＩＰＦＡＸ装置１０ｂ、１０ｃ等から他のＩＰＦＡＸ装置１０ａ〜１０ｃ等に送信する場合にも同様に適用することができる。
【００５４】
すなわち、本実施例のデータ通信システム１では、相手先の識別情報を要求してくるＩＰＦＡＸ装置の識別情報が適切であるか否かの確認をＳＩＰプロキシサーバ３が行い、当該識別情報が適切であると、相手先の識別情報の通知を行っているため、識別情報の機密性を確保することができる。
【００５５】
また、本実施例のＩＰＦＡＸ装置１０ａ〜１０ｃは、図３の通信シーケンス図のＩＰ装置１０ａのアクション欄に示すように、ＩＰＦＡＸ装置１０ａが送信相手先のＩＰＦＡＸ装置１０ｂの識別情報を確認出力して、当該確認出力によってオペレータが送信、送信中止のいずれかを選択すると、当該選択結果に応じて以降の処理を決定してる。
【００５６】
このように、本実施例のデータ通信システム１のＩＰＦＡＸ装置１０ａ〜１０ｃは、操作表示部１７から指定された相手先端末であるＩＰＦＡＸ装置１０ａ〜１０ｃにデータ送信を行う場合、送信先のＩＰＦＡＸ装置１０ａ〜１０ｃから識別情報を取得して、当該取得した識別情報を操作表示部１７のディスプレイに表示出力し、または／及びスピーカから拡声出力する確認出力を行い、当該確認出力に応じて操作表示部１７のキー操作等で送信指示が行われると、当該送信先のＩＰＦＡＸ装置１０ａ〜１０ｃにデータの送信を行い、当該確認出力に応じて送信中止が指示されると、当該送信先のＩＰＦＡＸ装置１０ａ〜１０ｃへのデータの送信を中止する誤送信防止処理を実行している。
【００５７】
したがって、データ通信において適切に相手先を確認することができ、宛先番号の誤入力による誤送信だけでなく、着呼端末側の管理方法、運営方法によって、宛先番号に該当するＩＰアドレスが送信者側のオペレータの知らないうちに変更され、送信側のオペレータが指定した宛先番号に該当するＩＰＦＡＸ端末１０ａ〜１０ｃが、送信側のオペレータの意図しているＩＰＦＡＸ端末１０ａ〜１０ｃではなくなっている場合にも、誤送信を適切に防止することができる。
【００５８】
また、本実施例のデータ通信システム１のＩＰＦＡＸ装置１０ａ〜１０ｃは、ンターネット２に接続され予め識別情報が登録されていて当該登録されている識別情報を通知した通信要求を行ってきたＩＰＦＡＸ装置１０ａ〜１０ｃに対してのみデータ通信を許可するＳＩＰプロキシサーバ３を介してデータ通信を行っている。
【００５９】
したがって、悪意あるＩＰＦＡＸ端末によって他のＩＰＦＡＸ端末が登録されていて使用されているＦＡＸ番号を横取りする（なりすまし）を適切に防止することができ、セキュリティを確保することができる。
【００６０】
さらに、本実施例のデータ通信システム１のＩＰＦＡＸ装置１０ａ〜１０ｃは、データ送信において、操作表示部１７のキー操作等で誤送信防止処理機能のオンが選択されているときにのみ、誤送信防止処理を実行する。
【００６１】
したがって、各ＩＰＦＡＸ装置１０ａ〜１０ｃの使用環境や使用環境の変化に合わせて誤送信防止処理機能のオン／オフを設定して利用することができ、利用性を向上させることができる。
【実施例２】
【００６２】
図６〜図８は、本発明のデータ通信装置の第２実施例を示す図であり、図６は、本発明のデータ通信装置の第２実施例を適用したデータ通信システムのＩＰＦＡＸ装置による誤送信防止処理を伴うＩＰＦＡＸ送信処理を示すフローチャート、図７は、図６の誤送信防止処理を伴うＩＰＦＡＸ送信処理の続きの処理を示すフローチャート、図８は、ＩＰＦＡＸ通信の通信シーケンス図である。
【００６３】
なお、本実施例は、上記第１実施例のデータ通信システム及びＩＰＦＡＸ装置１０ａ〜１０ｃと同様のデータ通信システム及びＩＰＦＡＸ装置に適用したものであり、本実施例の説明においては、必要に応じて、第１実施例の説明で用いた符号をそのまま用いて説明する。
【００６４】
本実施例のＩＰＦＡＸ装置１０ａ〜１０ｃは、誤送信防止処理を伴うＩＰＦＡＸ送信処理において、過去の通信結果に基づいてオペレータへの確認出力を行うか否かを決定するものである。
【００６５】
なお、以下の説明では、図１のＩＰＦＡＸ装置１０ａからＳＩＰプロキシサーバ３を介してＩＰＦＡＸ装置１０ｂにＩＰＦＡＸ送信するものとして説明する。
【００６６】
すなわち、本実施例のデータ通信システム１において、Ａ社のＩＰＦＡＸ装置１０ａのオペレータが、送信相手先であるＢ社のＩＰＦＡＸ装置１０ｂの番号情報である宛先番号（「０３３２１１２３４」）を入力して、ＩＰＦＡＸ送信の発呼要求操作を行うと、ＩＰＦＡＸ装置１０ａは、図６に示すように、入力された宛先番号を取得して当該宛先番号へのＩＰＦＡＸ送信要求を受け付け（ステップＳ３０１）、当該受け付けた送信要求先の宛先番号に基づいて当該宛先番号に一致する送信履歴を不揮発性メモリ１３ａの送信履歴テーブルから検索して（ステップＳ３０２）、同じ宛先番号の送信履歴があるかチェックする（ステップＳ３０３）。
【００６７】
ステップＳ３０３で、今回送信先の宛先番号と同じ宛先番号の送信履歴がないときには、ＩＰＦＡＸ装置１０ａは、図４のステップＳ１０２以降の誤送信防止処理を伴うＩＰＦＡＸ送信処理を行って、処理を終了し（ステップＳ３０４）、今回送信先の宛先番号と同じ宛先番号の送信履歴があるときには、該当する送信履歴の情報（宛先番号、識別情報及びオペレータによる選択結果の情報）を不揮発性メモリ１３ａの送信履歴テーブルから読み込んで（ステップＳ３０５）、当該送信履歴テーブルの当該相手先番号への過去のオペレータの選択結果（オペレータ判断）が「送信する」であったか、「送信中止」であったかを判断する（ステップＳ３０６）。
【００６８】
ＩＰＦＡＸ装置１０ａは、ステップＳ３０６で、「送信中止」であると、図４のステップＳ１０２以降の誤送信防止処理を伴うＩＰＦＡＸ送信処理を行って、処理を終了し（ステップＳ３０４）、「送信する」であると、図５に示した識別情報認識・取得処理を実行して送信相手先であるＢ社のＩＰＦＡＸ装置１０ｂの識別情報（「Ｂｃｏｍｐａｎｙ＿ＦＡＸ１」）を取得する（ステップＳ３０７）。
【００６９】
ＩＰＦＡＸ装置１０ａは、送信相手先の識別情報を取得すると、当該識別情報とステップＳ３０５で取得した送信履歴の識別情報を比較して（ステップＳ３０８）、一致するか判別し（ステップＳ３０９）、一致するときには、ステップＳ３０１で指定された宛先へのＩＰＦＡＸ送信を行って、誤送信防止処理を伴うＩＰＦＡＸ送信処理を終了する（ステップＳ３１０）。
【００７０】
ステップＳ３０９で、送信相手先の識別情報と送信履歴の識別情報が一致しないときには、ＩＰＦＡＸ装置１０ａは、図７に示すように、送信相手先の識別情報と送信履歴の前回のＩＰＦＡＸ送信時の識別情報とが異なっている旨の、操作表示部１７ａのディスプレイへの表示出力または／及びスピーカからの音声出力等の警告出力を行い（ステップＳ３１１）、その後に、ステップＳ３０７で取得した送信相手先の識別情報を操作表示部１７ａのディスプレイへの表示出力または／及びスピーカからの音声出力等の確認出力を行って（ステップＳ３１２）、オペレータに対して当該送信相手先へ「送信する」と「送信中止」（中止する）のいずれを行うのかの問い合わせを行う（ステップＳ３１３）。
【００７１】
この識別情報の警告出力と送信の問い合わせに応じて、オペレータが操作表示部１７ａの操作等で送信を行うか否かの選択を行うと、ＩＰＦＡＸ装置１０ａは、当該選択結果が「送信する」と「送信中止」（中止する）のいずれであるかを判別し（ステップＳ３１４）、「送信する」が選択されていると、ステップＳ３０１で取得した宛先番号宛に通常のＩＰＦＡＸ送信を行う（ステップＳ３１５）。ＩＰＦＡＸ装置１０ａは、ＩＰＦＡＸ送信を行うと、ステップＳ３０１で取得した送信相手先の宛先番号とステップＳ３０７で取得した当該相手先の識別情報をオペレータの選択結果（「送信する」）に対応付けて不揮発性メモリ１３ａの送信履歴テーブルに登録し、誤送信防止処理を伴うＩＰＦＡＸ送信処理を終了する（ステップＳ３１６）。
【００７２】
ＩＰＦＡＸ装置１０ａは、ステップＳ３１４で、「送信中止」が選択されていると、ステップＳ３０１で取得した送信相手先の宛先番号とステップＳ３０７で取得した当該相手先の識別情報とをオペレータの選択結果（「送信する」）に対応付けて不揮発性メモリ１３ａの送信履歴テーブルに登録し、当該宛先へのＩＰＦＡＸ送信を行うことなく、誤送信防止処理を伴うＩＰＦＡＸ送信処理を終了する（ステップＳ３１７）。
【００７３】
なお、上記説明においては、ＩＰＦＡＸ装置１０ａからＩＰＦＡＸ装置１０ｂにＩＰＦＡＸ送信する場合について説明したが、他のＩＰＦＡＸ装置１０ｂ、１０ｃ等から他のＩＰＦＡＸ装置１０ａ〜１０ｃ等に送信する場合にも同様に適用することができる。
【００７４】
すなわち、本実施例のＩＰＦＡＸ装置１０ａ〜１０ｃは、図８に示す通信シーケンス図のように、ＩＰＦＡＸ通信処理を行うが、このとき、図８のＩＰ装置１０ａのアクション欄に示すように、ＩＰＦＡＸ装置１０ａが送信相手先の送信履歴の識別情報と今回送信相手先から取得したＩＰＦＡＸ装置１０ｂの識別情報を比較して一致すると、そのままＩＰＦＡＸ送信を行い、両識別情報が一致しないと、今回取得した送信相手先の識別情報が前回送信したときの当該送信相手先の識別情報とが異なっている旨の警告出力を行うとともに、今回取得した送信相手先の識別情報をオペレータに確認出力して、当該確認出力に基づいてオペレータが送信、送信中止のいずれかを選択すると、当該選択結果に応じて以降の処理を決定してる。
【００７５】
このように、本実施例のデータ通信システム１のＩＰＦＡＸ装置１０ａ〜１０ｃは、誤送信防止処理における送信指示または送信中止指示の指示結果を当該相手先端末毎に送信履歴テーブルとして登録し、データ送信において、当該相手先端末が過去に送信指示の行われた端末として送信履歴テーブルに登録されていると、当該相手先端末の識別情報の確認出力を省略して、当該相手先端末へのデータ送信を行っている。
【００７６】
したがって、誤送信のおそれのない場合に、不要な送信相手先の確認作業や送信指示を行う負担を省くことができ、誤送信を防止しつつ、利用性を向上させることができる。
【００７７】
また、本実施例のデータ通信システム１のＩＰＦＡＸ装置１０ａ〜１０ｃは、送信履歴テーブルとして相手先端末（ＩＰＦＡＸ装置１０ａ〜１０ｃ）毎に当該相手先端末から取得した識別情報をも登録し、データ送信において、当該相手先端末が過去に送信指示の行われた端末として送信履歴テーブルに登録されている場合であっても、当該送信に際して当該相手先端末から取得した当該相手先端末の識別情報と当該送信履歴情報に登録されている当該相手先端末の識別情報とが異なると、当該送信に際して当該相手先端末から取得した当該相手先端末の識別情報の確認出力を行って、当該確認出力に応じて送信指示が行われると、当該相手先端末にデータの送信を行い、当該確認出力に応じて送信中止が指示されると、当該相手先端末へのデータの送信を中止している。
【００７８】
したがって、誤送信のおそれのない場合に、不要な送信相手先の確認作業や送信指示を行う負担を省くことができるとともに、相手先の宛先番号や識別情報が変更されている場合に誤送信することを防止することができ、より一層適切に誤送信を防止することができるとともに、利用性を向上させることができる。
【実施例３】
【００７９】
図９〜図１１は、本発明のデータ通信装置の第３実施例を示す図であり、図９は、本発明のデータ通信装置の第３実施例を適用したデータ通信システムのＩＰＦＡＸ装置による誤送信防止処理を伴うＩＰＦＡＸ送信処理を示すフローチャート、図１０は、図９の誤送信防止処理を伴うＩＰＦＡＸ送信処理の続きの処理を示すフローチャート、図１１は、ＩＰＦＡＸ通信の通信シーケンス図である。
【００８０】
なお、本実施例は、上記第１実施例のデータ通信システム及びＩＰＦＡＸ装置１０ａ〜１０ｃと同様のデータ通信システム及びＩＰＦＡＸ装置に適用したものであり、本実施例の説明においては、必要に応じて、第１実施例の説明で用いた符号をそのまま用いて説明する。
【００８１】
本実施例のＩＰＦＡＸ装置１０ａ〜１０ｃは、送信相手先端末が過去の通信結果においてオペレータが「送信中止」を選択した送信相手先端末であると、その旨を警告通知し、本当に送信するかの選択操作を確認して、以降の送信処理を決定するものである。
【００８２】
なお、以下の説明では、図１のＡ社のＩＰＦＡＸ装置１０ａからＳＩＰプロキシサーバ３を介して過去にオペレータが送信中止を選択した相手先端末であるＣ社のＩＰＦＡＸ装置１０ｃにＩＰＦＡＸ送信するものとして説明する。
【００８３】
すなわち、本実施例のデータ通信システム１において、Ａ社のＩＰＦＡＸ装置１０ａのオペレータが、送信相手先であるＣ社のＩＰＦＡＸ装置１０ｃの番号情報である宛先番号（「０３３２１２３４５」）を入力して、ＩＰＦＡＸ送信の発呼要求操作を行うと、ＩＰＦＡＸ装置１０ａは、図９に示すように、入力された宛先番号を取得して当該宛先番号へのＩＰＦＡＸ送信要求を受け付け（ステップＳ４０１）、当該受け付けた送信要求先の宛先番号に基づいて当該宛先番号に一致する送信履歴を不揮発性メモリ１３ａの送信履歴テーブルから検索して（ステップＳ４０２）、同じ宛先番号の送信履歴があるかチェックする（ステップＳ４０３）。
【００８４】
ステップＳ４０３で、今回送信先の宛先番号と同じ宛先番号の送信履歴がないときには、ＩＰＦＡＸ装置１０ａは、図４のステップＳ１０２以降の誤送信防止処理を伴うＩＰＦＡＸ送信処理を行って、処理を終了し（ステップＳ４０４）、今回送信先の宛先番号と同じ宛先番号の送信履歴があるときには、該当する送信履歴の情報（宛先番号、識別情報及びオペレータによる選択結果の情報）を不揮発性メモリ１３ａの送信履歴テーブルから読み込んで（ステップＳ４０５）、当該送信履歴テーブルの当該相手先番号への過去のオペレータの選択結果（オペレータ判断）が「送信する」であったか、「送信中止」であったかを判断する（ステップＳ４０６）。
【００８５】
ＩＰＦＡＸ装置１０ａは、ステップＳ４０６で、「送信する」であると、図４のステップＳ１０２以降の誤送信防止処理を伴うＩＰＦＡＸ送信処理を行って、処理を終了し（ステップＳ４０４）、「送信中止」であると、今回送信相手先としてステップＳ４０１で指定された宛先番号への発呼が過去にオペレータによって送信が中止されている旨の操作表示部１７ａのディスプレイへの表示出力または／及びスピーカからの音声出力等の警告出力を行って（ステップＳ４０７）、オペレータに対して当該送信相手先へ「送信する」と「送信中止」（中止する）のいずれを行うのかの問い合わせを行う（ステップＳ４０８）。
【００８６】
この識別情報の警告出力と送信の問い合わせに応じて、オペレータが操作表示部１７ａの操作等で送信有無の選択を行うと、ＩＰＦＡＸ装置１０ａは、当該選択結果が「送信する」と「送信中止」（中止する）のいずれであるかを判別し（ステップＳ４０９）、「送信中止」が選択されると、ＩＰＦＡＸ送信を行うことなく、ＩＰＦＡＸ送信処理を終了する。
【００８７】
ステップＳ４０９で、「送信する」が選択されていると、ＩＰＦＡＸ装置１０ａは、図１０に示すように、図５に示した識別情報認識・取得処理を実行して送信相手先であるＣ社のＩＰＦＡＸ装置１０ｃの識別情報（「Ｃｃｏｍｐａｎｙ＿ＦＡＸ２」）を取得し（ステップＳ４１０）、この識別情報認識・取得処理で取得した送信相手先の識別情報（「Ｃｃｏｍｐａｎｙ＿ＦＡＸ２」）の、操作表示部１７ａのディスプレイへの表示出力または／及びスピーカからの音声出力等の確認出力を行い（ステップＳ４１１）、オペレータに対して当該送信相手先へ「送信する」と「送信中止」（中止する）のいずれを行うのかの問い合わせを行う（ステップＳ４１２）。
【００８８】
この識別情報の確認出力と送信の問い合わせに応じて、オペレータが操作表示部１７ａの操作等で送信有無の選択を行うと、ＩＰＦＡＸ装置１０ａは、当該選択結果が「送信する」と「送信中止」（中止する）のいずれであるかの選択結果を取得し（ステップＳ４１３）、当該取得した選択結果を、ステップＳ４０１で取得した送信相手先の宛先番号とステップＳ４１０で取得した当該相手先の識別情報と対応付けて不揮発性メモリ１３ａの送信履歴テーブルに登録する（ステップＳ４１４）。
【００８９】
ＩＰＦＡＸ装置１０ａは、オペレータが「送信する」と「送信中止」（中止する）のいずれを選択したかを判別し（ステップＳ４１５）、「やっぱり中止する（送信中止）」が選択されていると、当該宛先へのＩＰＦＡＸ送信を行うことなく、誤送信防止処理を伴うＩＰＦＡＸ送信処理を終了し、「送信する」が選択されていると、ステップＳ４０１で取得した宛先番号宛に通常のＩＰＦＡＸ送信を行って、誤送信防止処理を伴うＩＰＦＡＸ送信処理を終了する（ステップＳ４１６）。
【００９０】
なお、上記説明においては、ＩＰＦＡＸ装置１０ａからＩＰＦＡＸ装置１０ｃにＩＰＦＡＸ送信する場合について説明したが、他のＩＰＦＡＸ装置１０ｂ、１０ｃ等からオペレータが過去に送信中止を選択した他のＩＰＦＡＸ装置１０ａ〜１０ｃ等に送信する場合にも同様に適用することができる。
【００９１】
すなわち、本実施例のＩＰＦＡＸ装置１０ａ〜１０ｃは、図１１に示す通信シーケンス図のように、ＩＰＦＡＸ通信処理を行うが、このとき、図１１のＩＰ装置１０ａのアクション欄に示すように、送信相手先として指定された相手先が、送信履歴テーブルから過去に送信の中止がオペレータによって選択された相手先であると、その旨をオペレータに警告通知して、当該警告通知によって「送信する」が選択されると、ＩＰＦＡＸ装置１０ａが送信相手先のＩＰＦＡＸ装置１０ｂの識別情報を確認出力して、当該確認出力によってオペレータが送信、送信中止のいずれかを選択すると、当該選択結果に応じて以降の処理を決定してる。
【００９２】
このように、本実施例のデータ通信システム１のＩＰＦＡＸ装置１０ａ〜１０ｃは、データ送信において、当該送信相手先端末が過去に送信中止指示の行われた端末として送信履歴テーブルに登録されていると、当該相手先端末の識別情報の確認出力を行い、当該確認出力に応じて送信指示が行われると、当該相手先端末にデータの送信を行い、当該確認出力に応じて送信中止が指示されると、当該相手先端末へのデータの送信を中止している。
【００９３】
したがって、不要な送信相手先の確認作業や送信指示を行う負担を省くことができ、誤送信を防止しつつ、利用性を向上させることができる。
【００９４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９５】
インターネットを利用したファクシミリ通信等のようのあデータ通信を行うデータ通信装置一般に適用することができる。
【図面の簡単な説明】
【００９６】
【図１】本発明のデータ通信装置の第１実施例を適用したデータ通信システムのシステム構成図。
【図２】図１のインターネットファクシミリ装置（ＩＰＦＡＸ装置）のブロック構成図。
【図３】図１のデータ通信システムにおけるＩＰＦＡＸの通信シーケンスを示す図。
【図４】図３のＡ社のＩＰＦＡＸ装置による誤送信防止処理を伴うＩＰＦＡＸ送信処理を示すフローチャート。
【図５】図４の誤送信防止処理を伴うＩＰＦＡＸ送信処理の続きの処理を示すフローチャート。
【図６】本発明のデータ通信装置の第２実施例を適用したデータ通信システムのＡ社のＩＰＦＡＸ装置による誤送信防止処理を伴うＩＰＦＡＸ送信処理を示すフローチャート。
【図７】図６の誤送信防止処理を伴うＩＰＦＡＸ送信処理の続きの処理を示すフローチャート。
【図８】本発明のデータ通信装置の第２実施例を適用したデータ通信システムにおけるＩＰＦＡＸの通信シーケンスを示す図。
【図９】本発明のデータ通信装置の第３実施例を適用したデータ通信システムのＡ社のＩＰＦＡＸ装置による誤送信防止処理を伴うＩＰＦＡＸ送信処理を示すフローチャート。
【図１０】図９の誤送信防止処理を伴うＩＰＦＡＸ送信処理の続きの処理を示すフローチャート。
【図１１】本発明のデータ通信装置の第３実施例を適用したデータ通信システムにおけるＩＰＦＡＸの通信シーケンスを示す図。
【符号の説明】
【００９７】
１  データ通信システム
２  インターネット網
３  ＳＩＰプロキシサーバ
４  ロケーションサーバ
１０ａ〜１０ｃ  インターネットファクシミリ装置（ＩＰＦＡＸ装置）
１１  スキャナ
１２  プロッタ
１３、１３ａ  不揮発性メモリ
１４  ＤＣＲ
１５  ＣＣＵ
１６  制御部
１７  操作表示部
１８  ページメモリ
１９  ＬＡＮ制御部
２０  バス
【図１】
2007116264.tif 000003
【図２】
2007116264.tif 000004
【図３】
2007116264.tif 000005
【図４】
2007116264.tif 000006
【図５】
2007116264.tif 000007
【図６】
2007116264.tif 000008
【図７】
2007116264.tif 000009
【図８】
2007116264.tif 000010
【図９】
2007116264.tif 000011
【図１０】
2007116264.tif 000012
【図１１】
2007116264.tif 000013